(57)【要約】【課題】所望の位置に固定するのが容易となる歯科矯正用アバットメントを提供する。【解決手段】顎骨にねじ止めされる固定部４と矯正用の付勢部材を掛止させる掛止部３とを備え且つ一枚のプレートからなる歯科矯正用アバットメント１である。上記固定部４の外周から外方に張り出し先端に向けて幅が狭くなって先端部が尖っている突起部７ａ、７ｂを３個一体に設けてある。その突起部７ａ、７ｂは根本で折り曲げてある。【選択図】        図１
2008017930.tif 000002
【特許請求の範囲】
【請求項１】
顎骨にねじ止めされる固定部と矯正用の付勢部材を掛止させる掛止部とを備え且つ一枚のプレートからなる歯科矯正用アバットメントにおいて、
上記固定部の外周から外方に張り出し先端に向けて幅が狭くなって先端部が尖っている突起部を１又は２個以上、上記プレートの一部として形成したことを特徴とする歯科矯正用アバットメント。
【請求項２】
上記突起部は、根本で面外方向に折り曲げられていることを特徴とする請求項１に記載した歯科矯正用アバットメント。
【請求項３】
上記突起部の少なくとも１個は、固定部に形成したねじ穴を挟んで掛止部と対向する位置に当該掛止部から離れる方向に張り出すように設けられていることを特徴とする請求項１又は請求項２に記載した歯科矯正用アバットメント。
【発明の詳細な説明】
【技術分野】
【０００１】
本発明は、歯科矯正のために固定部が顎骨にねじ止めされて、歯を矯正する際の固定源となる歯科矯正用アバットメントに関する。
【背景技術】
【０００２】
従来、プレートタイプの歯科矯正用アバットメントとしては、例えば特許文献１に記載のものがある。このアバットメントは、アーム部の一端部側に２つのねじ穴が開口した固定部が形成されると共に、アーム部の他端部側に、ワイヤなどの付勢部材を掛止する掛止部が一体に形成されて構成されている。
そして、固定部を、ねじ穴を貫通するねじによって顎骨に当接させた状態で固定した後に、上記掛止部にバネ部材やワイヤなどの矯正用の付勢部材の端部を引っ掛ける。
【特許文献１】特開２００４−１７４２７８号公報
【発明の開示】
【発明が解決しようとする課題】
【０００３】
上記アバットメントを固定する際には、２本のねじを用いて固定して、アーム部の向きを所望の向きに向けて配置して、目的の位置に固定源としての掛止部が位置するようにする必要がある。
このためには、まず、１本のねじを一方の穴に貫通させて骨に一点でアバットメントを仮止めする。その後に、アーム部の傾き（掛止部の位置）を微調整し且つ確認しながら、もう一本のねじで固定部を顎骨に固定することで、掛止部に対し付勢部材を引っ掛けても、アバットメントが回転変位することなく固定源として作用する。
ここで、１本目のねじで留めただけの状態では、アバットメントが回転変位可能な状態にあって不安定であり、また、対象とするアバットメントは全長でも１ｃｍ程度と小さい治具であることから口腔内での操作が細かいものとなって、その位置決めが極めて難しく、正確な位置に微調整しながら固定するには熟練を要する。
【０００４】
なお、上記特許文献１には、固定部の骨接触面をサンドブラストで粗面とすることが開示されている。これは骨面との接触部の摩擦を大きくしてアバットメントを回転し難くするためと推定される。しかし、ねじ止めする部分は平坦でないので、粗面としても有効な回転変位に対する仮止め効果を得ることが出来ない。また、上述のように対象とするアバットメントは小さい治具であるので、粗面側の面の判定が困難な場合も想定され、粗面側を骨側に向けないで施術される場合も想定される。
本発明は、上記のような点に着目してなされたもので、所望の位置に固定するのが容易となる歯科矯正用アバットメントを提供することを課題としている。
【課題を解決するための手段】
【０００５】
上記課題を解決するために、本発明のうち請求項１に記載した発明は、顎骨にねじ止めされる固定部と矯正用の付勢部材を掛止させる掛止部とを備え且つ一枚のプレートからなる歯科矯正用アバットメントにおいて、
上記固定部の外周から外方に張り出し先端に向けて幅が狭くなって先端部が尖っている突起部を１又は２個以上、上記プレートの一部として形成したことを特徴とするものである。
次に、請求項２に記載した発明は、請求項１に記載した構成に対し、上記突起部は、根本で面外方向に折り曲げられていることを特徴とするものである。
次に、請求項３に記載した発明は、請求項１又は請求項２に記載した構成に対し、上記突起部の少なくとも１個は、固定部に形成したねじ穴を挟んで掛止部と対向する位置に当該掛止部から離れる方向に張り出すように設けられていることを特徴とするものである。
【発明の効果】
【０００６】
本発明によれば、突起部を設けることでアバットメントの固定が容易になると共にその取付け精度も向上する。
また、請求項１に係る発明によれば、突起部を、固定部の外方に向けて突出させて形成させて、プレートの一部として形成することで加工が容易である。
また、請求項２に係る発明によれば、予め突起部が折れ曲がっているので、現場での折り曲げ作業が不要となる。なお、折り曲げ作業は、口腔内などの狭い位置での作業ではない。
また、請求項３に係る発明によれば、掛止部に付勢部材からの荷重が負荷されても、ねじ穴を挟んで掛止部よりも遠位な位置に突起部を設けることで、ねじ止めが１本の場合であっても、有効にアバットメントの回転変位を抑えることが可能となる。
【発明を実施するための最良の形態】
【０００７】
次に、本発明の実施形態について図面を参照しつつ説明する。
図１は、本実施形態のアバットメントを示す平面図である。
（構成）
本実施形態のアバットメント１は、図１に示すように、一枚の平板の金属板からなる。材質としては、チタンやチタン合金が好ましい。なお、加工はプレス加工などで製造すればよい。
そのアバットメント１の構成は、アーム部２の一端部側に固定部４が設けられると共に当該アーム部２の他端部側に掛止部３が設けられて構成される。
【０００８】
上記掛止部３は、バネ部材がワイヤなどの付勢部材を引っ掛けて掛止できるようなフック状の形状となっている。図１では右側に開口したフックとなっているが、裏表を逆にするとフックの開口が左側となる。
また、固定部４には、第１のねじを取り付けるためのねじ穴５と、第２のねじを取り付けるためのねじ取付け用の切欠き部６が形成されている。
【０００９】
また、上記固定部４の周囲の３箇所に、外方に向けて張り出すように突出する棘状の突起部７ａ、７ｂが設けられている。その各突起部７ａ、７ｂは、平面視において、外方に向かうにつれて幅が狭くなって先端が鋭角の尖った状態になっていれば、その突起部７ａ、７ｂの外形輪郭は、松葉状など他の形状であっても良い。図１では、突起部７ａ、７ｂの外形輪郭を、平面視三角形状の外形輪郭とした場合を例示している。
なお、突起部７ａ、７ｂの突出量は例えば、１．５ｍｍ〜３ｍｍの範囲とする。
本実施形態では、上記突起部７ａ、７ｂは、ねじ穴５を挟んで掛止部３から遠位にある位置に２つ設け、さらに、ねじ穴５を挟んで、その二つの突起部７ａと反対側に１つ突起部７ｂを設けるように配置している。
【００１０】
（使用例）
上記構成のアバットメント１では、各突起部７ａ、７ｂを面外方向につまり一方の面側に折り曲げる。折り曲げの方向は、フックの向きによって決める。例えば、図１のような状態（固定部４よりも掛止部３が下側にある状態）で、紙面下側を顎骨との対向する面とする場合には、紙面右側から延びてくるバネ部材等の付勢部材の先端部を引っ掛けることになる。プレートタイプのアバットメント１は、裏表を逆にして使用することも可能で、図１の場合に、左側から延びて来る付勢部材を掛止する場合には、紙面上側が顎骨側を向くようにし、上記突起部７ａ、７ｂも上側に向くようにして折り曲げる。なお、突起部７ａ、７ｂの根本と固定部４の外周との境界線に沿って板厚を薄くしておいたり、その境界線の一部にスリットを設けたりすることで、突起部７ａ、７ｂを根本で確実に且つ簡易に折れ曲がり易くしておいても良い。なお、掛止部３が固定部４よりも上側となるようにして取り付ける場合もある。
【００１１】
ここで、上記説明では出荷時の製品状態では、各突起部７ａ、７ｂがアバットメント１の厚さ方向（面外方向）に折り曲げられていない場合で説明しているが、製品の状態で突起部７ａ、７ｂを一方の面側に向けて折り曲げた状態となっていても良い。この場合には、上記突起部７ａ、７ｂの曲げ方向によってどちらを顎骨側にして取り付ければ良いかの判別が容易となる。また、現場での折り曲げ作業の手間が無くなる。
【００１２】
図２に、突起部７ａ、７ｂを折れ曲げた状態を示す。
そして、上記のように突起部７ａ、７ｂが折れ曲がった状態のアバットメント１について、上記ねじ穴５にねじ９の軸を通し、そのねじ９を顎骨にねじ込んでいく。なおこのねじ込み作業の途中の状態ではアバットメント１の向きは調整する必要はない。続いて、突起部７ａ、７ｂが骨に当接したら、アバットメント１の向きを調整して、ねじ９を更にねじ込むと突起部７ａ、７ｂが骨面に食い込むことで、確実に固定される。
【００１３】
続いて２本目のねじ９をねじ取付け用の切欠き部６にねじ込んで取り付ける。このとき、上記突起部７ａ、７ｂによってアバットメント１の向きは固定されて向きが安定しているので操作がしやすくなる。
ここで、アバットメント１を固定する部分の骨質が硬い場合には、２本目のねじ止めが不要となる。
このように、本実施形態のアバットメント１では、プレートの一部を構成する突起部７ａ、７ｂを備えることで、アバットメント１の取付けが容易になると共に取付け精度も向上する。又、固定する部分の骨質が硬い場合には、ねじ止めが１箇所で済む。
更に、上記突起部７ａ、７ｂはプレートの一部であるので、プレス加工などで加工する際に突起部を設けても加工が容易である。
【００１４】
ここで、３本の突起部７ａ、７ｂがあるが、アバットメント１の向きや取付け面の凹凸状況などに応じて、折り曲げる突起を１つ又は２つだけにしても良い。
また、本実施形態では、上記突起部７ａ、７ｂのうち二つを、ねじ穴５を挟んで掛止部３から遠位にある位置に設けることで、掛止部３に付勢部材からの荷重が負荷されても、ねじ止めが１本の場合であっても、掛止部３への上記荷重によってねじ穴５周りにアバットメント１が回転変位しようとすることを防止することが可能となる。
ここで、３本の突起部７ａ、７ｂを設けているが、アバットメント１の向きや取付け面の凹凸状況などに応じて、折り曲げる突起部を１つ又は２つだけにしても良い。
【００１５】
また、上記掛止部３や固定部４の形状は一例であり、この形状となっている必要はない。一枚のプレートからなり、ねじ止め用の固定部４と、バネ部材などの付勢部材を引っ掛ける掛止部３とを備えて、顎骨に固定されるタイプのアバットメント１であれば、本願発明は適用可能である。
また、突起部７ａ、７ｂの数は３個に限定されず２個であっても良いし、４個以上あっても良い。また、上記実施形態では、突起部７ａ、７ｂを固定部４に対し直角となるように面外方向に折り曲げる場合を例示しているが、直角よりも多少鈍角となるように折れ曲げても良い。
【図面の簡単な説明】
【００１６】
【図１】本発明に基づく実施形態に係るアバットメントを示す平面図である。
【図２】本発明に基づく実施形態に係るアバットメントの突起部を折り曲げた状態を示す図である。
【図３】本発明に基づく実施形態に係るアバットメントの突起部とねじとの関係を示す図である。
【符号の説明】
【００１７】
１  アバットメント
２  アーム部
３  掛止部
４  固定部
５  ねじ穴
６  切欠き部
７ａ、７ｂ  突起部
９  ねじ
【図１】
2008017930.tif 000003
【図２】
2008017930.tif 000004
【図３】
2008017930.tif 000005